(57)【要約】【課題】画像データの送信を簡易に行うことができ、防犯機器等としても利用できる携帯画像撮影送信装置を提供すること。【解決手段】画像データを取得する撮影手段１と、取得された画像データを記憶する画像データ記憶手段２と、画像データの送信を行う送信手段３と、画像データの送信先を予め登録しておく送信先登録手段４とを備え、撮影手段１によって画像データを取得したとき、自動的に、送信手段３によって送信先登録手段４に予め登録されている送信先５に画像データを送信するようにした携帯画像撮影送信装置であって、送信先登録手段４が複数の送信先を登録することができるものであり、かつ、送信先の少なくとも１つが警察等の公的機関又は契約したセキュリティ会社とすることにより携帯用防犯機器として用いることができるようにする。【選択図】図１
2006165610.tif 000002
【特許請求の範囲】
【請求項１】
画像データを取得する撮影手段と、画像データの送信を行う送信手段と、画像データの送信先を予め登録しておく送信先登録手段とを備え、撮影手段によって画像データを取得したとき、自動的に、送信手段によって送信先登録手段に予め登録されている送信先に画像データを送信するようにしたことを特徴とする携帯画像撮影送信装置。
【請求項２】
送信先登録手段が、複数の送信先を登録することができるものであることを特徴とする請求項１記載の携帯画像撮影送信装置。
【請求項３】
撮影手段が、撮影手段及び送信手段を自動的に起動し、送信先に画像データを送信する専用操作部を備えていることを特徴とする請求項１又は２記載の携帯画像撮影送信装置。
【請求項４】
携帯画像撮影送信装置が、携帯電話であることを特徴とする請求項１、２又は３記載の携帯画像撮影送信装置。
【請求項５】
携帯画像撮影送信装置が、カメラ又はビデオカメラであることを特徴とする請求項１、２又は３記載の携帯画像撮影送信装置。
【請求項６】
携帯画像撮影送信装置が、携帯用防犯機器であることを特徴とする請求項１、２又は３記載の携帯画像撮影送信装置。
【発明の詳細な説明】
【技術分野】
【０００１】
本発明は、携帯画像撮影送信装置に関し、特に、画像データの送信を簡易に行うことができ、防犯機器等としても利用できる携帯画像撮影送信装置に関するものである。
【背景技術】
【０００２】
近年、携帯電話には、音声の通信機能と共に静止画又は動画の撮影機能を備えたカメラ付携帯電話が主流となり、撮影した静止画又は動画の画像データを指定した送信先に送信することができるようになっている。
ところで、この種のカメラ付携帯電話の場合、静止画又は動画の撮影と、撮影した静止画又は動画の画像データの送信とは、連動しておらず、別個に人が操作するようにされている。
例えば、カメラ付携帯電話で静止画又は動画を撮影・送信する場合は、まず、携帯電話を撮影モードにセットし、撮影を行い、静止画又は動画の画像データを記憶手段に保存する。その後、保存されている画像データから送信する画像データを選択するとともに、送信先を指定して、画像データを送信先に送信する。
これらの操作には、少なからず手数と時間を要するため、夜間や混雑した人ごみの中では送信操作が困難になるだけでなく、子供や老人にとっては操作自体に困難を伴うことが考えられる。
【０００３】
また、近年、変質者による児童誘拐等の犯罪が増加しているが、犯罪発生時の証拠がほとんどなく、捜査を困難にしているとともに、犯人が殺人を犯してしまう等の取り返しのつかない結果を招くことが多くなっている。
被害者が防犯のためにカメラ付携帯電話を所持している場合があるにもかかわらず、証拠が残らないのは、上記のように、画像データを送信先に送信するまで手数と時間を要するためであり、画像データを送信先に送信することができず、犯人がカメラ付携帯電話を持ち去ってしまった場合、証拠が残らないことになる。
【発明の開示】
【発明が解決しようとする課題】
【０００４】
本発明は、上記従来のカメラ付携帯電話の有する問題点に鑑み、画像データの送信を簡易に行うことができ、防犯機器等としても利用できる携帯画像撮影送信装置を提供することを目的とする。
【課題を解決するための手段】
【０００５】
上記目的を達成するため、本発明の携帯画像撮影送信装置は、画像データを取得する撮影手段と、画像データの送信を行う送信手段と、画像データの送信先を予め登録しておく送信先登録手段とを備え、撮影手段によって画像データを取得したとき、自動的に、送信手段によって送信先登録手段に予め登録されている送信先に画像データを送信するようにしたことを特徴とする。
【０００６】
この場合において、送信先登録手段に、複数の送信先を登録することができるようにすることができる。
【０００７】
また、撮影手段に、撮影手段及び送信手段を自動的に起動し、送信先に画像データを送信する専用操作部を備えるようにすることができる。
【０００８】
また、携帯画像撮影送信装置が、携帯電話やカメラ又はビデオカメラを兼ねるようにしたり、専用の携帯用防犯機器とすることができる。
【発明の効果】
【０００９】
本発明の携帯画像撮影送信装置は、撮影手段によって画像データを取得したとき、自動的に、送信手段によって送信先登録手段に予め登録されている送信先に画像データを送信するようにしたことにより、画像データの送信を手数と時間を要することなく行うことができ、これにより、夜間や混雑した人ごみの中でも送信操作を困難なく行えるだけでなく、子供や老人にも送信操作を困難を伴うことなく行うことができる。
また、撮影した画像データは、予め登録した送信先に送信されるので、送信先で画像データを記憶するようにすることで、携帯画像撮影送信装置側の画像データ記憶手段の容量を軽減又は省略することができる。
そして、この携帯画像撮影送信装置は、撮影手段によって画像データを取得するだけで自動的に送信先登録手段に予め登録されている送信先に画像データを送信することができるので、防犯機器として利用することにより、犯人が携帯画像撮影送信装置を持ち去ってしまった場合でも、送信された画像データが証拠として残るため、犯罪の早期解決、ひいては、犯罪そのものの抑止にも有効に機能する。
【００１０】
また、送信先登録手段に、複数の送信先を登録することができるようにすることにより、送信された画像データの迅速な活用を図ることができる。
【００１１】
また、撮影手段に、撮影手段及び送信手段を自動的に起動し、送信先に画像データを送信する専用操作部を備えるようにすることにより、使用勝手をよくし、誤操作を少なくすることができる。
【００１２】
また、携帯画像撮影送信装置が、携帯電話やカメラ又はビデオカメラを兼ねるようにしたり、専用の携帯用防犯機器とすることにより、目的に適合した、使用勝手のよい装置とすることができる。
【発明を実施するための最良の形態】
【００１３】
以下、本発明の携帯画像撮影送信装置の実施の形態を、図面に基づいて説明する。
【実施例１】
【００１４】
図１〜図２に、本発明の携帯画像撮影送信装置の一実施例を示す。
この携帯画像撮影送信装置は、図２に示すように、携帯画像撮影送信装置が携帯電話を兼ねるようにしたもので、基本的な仕様は、現在汎用されているカメラ付携帯電話と同様である。
【００１５】
具体的には、携帯画像撮影送信装置は、図１のフローチャートに示すように、画像データを取得する撮影手段１と、取得された画像データを記憶する画像データ記憶手段２と、画像データの送信を行う送信手段３と、画像データの送信先を予め登録しておく送信先登録手段４とを備え、撮影手段１によって画像データを取得したとき、自動的に、送信手段３によって送信先登録手段４に予め登録されている送信先５に画像データを送信するように構成されている。
【００１６】
この場合において、撮影する画像データは、静止画のほか、動画も対象とすることができる。
また、画像データに、必要に応じて、音声（音）のデータを含めることもできる。
【００１７】
また、送信先登録手段には、１又は２以上の複数の送信先を登録することができる。
登録する送信先は、自宅、親族、友人のほか、警察等の公的機関、契約したセキュリティ会社等、任意の送信先を選択することができる。
これにより、携帯画像撮影送信装置の用途に応じて、画像データの迅速な活用を図ることができる。
【００１８】
また、撮影手段には、図２に示すように、通常の撮影を行う場合に使用する操作部（図示省略）とは別に、撮影手段１及び送信手段３を自動的に起動し、送信先５に画像データを送信する専用操作部１１を備えるようにすることができる。
これにより、携帯画像撮影送信装置の使用勝手をよくし、誤操作を少なくすることができる。
専用操作部１１は、図２に示す実施例では、１個の押釦で構成したが、誤操作をより少なくするために同時に押圧操作することにより上記各手段が起動する２個の押釦で構成することもできる。
また、専用操作部１１は、押圧操作するもののほか、任意の操作機構を採用することができ、例えば、付属の紐を引き操作するようにしたり、ピンを引き抜き操作するようにしたり、音声認識手段により特定の音声を認識するようにしたり、指紋認識手段により特定の指紋を認識するようにすることにより、上記各手段が起動するように構成することもできる。
なお、このような専用操作部１１を備えない場合には、携帯画像撮影送信装置の設定を切り替えることにより、１個の操作部で通常の撮影と上記自動送信を含む撮影とを切り替えることができるようにする。
【００１９】
この携帯画像撮影送信装置は、撮影手段１によって画像データを取得したとき、自動的に、送信手段３によって送信先登録手段４に予め登録されている送信先５に画像データを送信するようにしたことにより、画像データの送信を手数と時間を要することなく行うことができ、これにより、夜間や混雑した人ごみの中でも送信操作を困難なく行えるだけでなく、子供や老人にも送信操作を困難を伴うことなく行うことができる。
また、撮影した画像データは、予め登録した送信先に送信されるので、送信先で画像データを記憶するようにすることで、携帯画像撮影送信装置側の画像データ記憶手段２の容量を軽減又は省略することができる。
そして、この携帯画像撮影送信装置は、撮影手段１によって画像データを取得するだけで自動的に送信先登録手段４に予め登録されている送信先５に画像データを送信することができるので、防犯機器として利用することにより、犯人が携帯画像撮影送信装置を持ち去ってしまった場合でも、送信された画像データが証拠として残るため、犯罪の早期解決、ひいては、犯罪そのものの抑止にも有効に機能する。
【００２０】
ところで、本実施例のものは、携帯画像撮影送信装置が携帯電話を兼ねるようにしたものであるが、このほか、携帯画像撮影送信装置が、カメラ又はビデオカメラを兼ねるようにしたり、専用の携帯用防犯機器とすることができる。
これにより、携帯画像撮影送信装置を、目的に適合した、使用勝手のよい装置とすることができる。
【００２１】
以上、本発明の携帯画像撮影送信装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の携帯画像撮影送信装置は、画像データの送信を簡易に行うことができることから、携帯情報端末の用途に好適に用いることができるほか、例えば、防犯機器等の用途にも用いることができる。
【図面の簡単な説明】
【００２３】
【図１】本発明の携帯画像撮影送信装置の動作のフローチャートである。
【図２】本発明の携帯画像撮影送信装置の一実施例を示す正面図である。
【符号の説明】
【００２４】
１    撮影手段
１１  専用操作部
２    画像データ記憶手段
３    送信手段
４    送信先登録手段
５    送信先
【図１】
2006165610.tif 000003
【図２】
2006165610.tif 000004
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
画像データを取得する撮影手段と、画像データの送信を行う送信手段と、画像データの送信先を予め登録しておく送信先登録手段とを備え、撮影手段によって画像データを取得したとき、自動的に、送信手段によって送信先登録手段に予め登録されている送信先に画像データを送信するようにした携帯画像撮影送信装置であって、前記送信先登録手段が複数の送信先を登録することができるものであり、かつ、該送信先の少なくとも１つが警察等の公的機関又は契約したセキュリティ会社とすることにより携帯用防犯機器として用いることができるものであることを特徴とする携帯画像撮影送信装置。
【請求項２】
撮影手段が、撮影手段及び送信手段を自動的に起動し、送信先に画像データを送信する専用操作部を備えていることを特徴とする請求項１記載の携帯画像撮影送信装置。
【請求項３】
携帯画像撮影送信装置が、携帯電話であることを特徴とする請求項１又は２記載の携帯画像撮影送信装置。
【手続補正２】
【補正対象書類名】明細書
【補正対象項目名】全文
【補正方法】変更
【補正の内容】
【発明の詳細な説明】
【技術分野】
【０００１】
本発明は、携帯画像撮影送信装置に関し、特に、画像データの送信を簡易に行うことができ、防犯機器等としても利用できる携帯画像撮影送信装置に関するものである。
【背景技術】
【０００２】
近年、携帯電話には、音声の通信機能と共に静止画又は動画の撮影機能を備えたカメラ付携帯電話が主流となり、撮影した静止画又は動画の画像データを指定した送信先に送信することができるようになっている。
ところで、この種のカメラ付携帯電話の場合、静止画又は動画の撮影と、撮影した静止画又は動画の画像データの送信とは、連動しておらず、別個に人が操作するようにされている。
例えば、カメラ付携帯電話で静止画又は動画を撮影・送信する場合は、まず、携帯電話を撮影モードにセットし、撮影を行い、静止画又は動画の画像データを記憶手段に保存する。その後、保存されている画像データから送信する画像データを選択するとともに、送信先を指定して、画像データを送信先に送信する。
これらの操作には、少なからず手数と時間を要するため、夜間や混雑した人ごみの中では送信操作が困難になるだけでなく、子供や老人にとっては操作自体に困難を伴うことが考えられる。
【０００３】
また、近年、変質者による児童誘拐等の犯罪が増加しているが、犯罪発生時の証拠がほとんどなく、捜査を困難にしているとともに、犯人が殺人を犯してしまう等の取り返しのつかない結果を招くことが多くなっている。
被害者が防犯のためにカメラ付携帯電話を所持している場合があるにもかかわらず、証拠が残らないのは、上記のように、画像データを送信先に送信するまで手数と時間を要するためであり、画像データを送信先に送信することができず、犯人がカメラ付携帯電話を持ち去ってしまった場合、証拠が残らないことになる。
【発明の開示】
【発明が解決しようとする課題】
【０００４】
本発明は、上記従来のカメラ付携帯電話の有する問題点に鑑み、画像データの送信を簡易に行うことができ、防犯機器等としても利用できる携帯画像撮影送信装置を提供することを目的とする。
【課題を解決するための手段】
【０００５】
上記目的を達成するため、本発明の携帯画像撮影送信装置は、画像データを取得する撮影手段と、画像データの送信を行う送信手段と、画像データの送信先を予め登録しておく送信先登録手段とを備え、撮影手段によって画像データを取得したとき、自動的に、送信手段によって送信先登録手段に予め登録されている送信先に画像データを送信するようにした携帯画像撮影送信装置であって、前記送信先登録手段が複数の送信先を登録することができるものであり、かつ、該送信先の少なくとも１つが警察等の公的機関又は契約したセキュリティ会社とすることにより携帯用防犯機器として用いることができるものであることを特徴とする。
【０００６】
この場合において、撮影手段に、撮影手段及び送信手段を自動的に起動し、送信先に画像データを送信する専用操作部を備えるようにすることができる。
【０００７】
また、携帯画像撮影送信装置が、携帯電話を兼ねるようにすることができる。
【発明の効果】
【０００８】
本発明の携帯画像撮影送信装置は、撮影手段によって画像データを取得したとき、自動的に、送信手段によって送信先登録手段に予め登録されている送信先に画像データを送信するようにしたことにより、画像データの送信を手数と時間を要することなく行うことができ、これにより、夜間や混雑した人ごみの中でも送信操作を困難なく行えるだけでなく、子供や老人にも送信操作を困難を伴うことなく行うことができる。
また、撮影した画像データは、予め登録した送信先に送信されるので、送信先で画像データを記憶するようにすることで、携帯画像撮影送信装置側の画像データ記憶手段の容量を軽減又は省略することができる。
そして、この携帯画像撮影送信装置は、撮影手段によって画像データを取得するだけで自動的に送信先登録手段に予め登録されている送信先に画像データを送信することができるので、防犯機器として利用することにより、犯人が携帯画像撮影送信装置を持ち去ってしまった場合でも、送信された画像データが証拠として残るため、犯罪の早期解決、ひいては、犯罪そのものの抑止にも有効に機能する。
そして、送信先登録手段に、複数の送信先を登録することができるようにすることにより、送信された画像データの迅速な活用を図ることができる。
【０００９】
また、撮影手段に、撮影手段及び送信手段を自動的に起動し、送信先に画像データを送信する専用操作部を備えるようにすることにより、使用勝手をよくし、誤操作を少なくすることができる。
【００１０】
また、携帯画像撮影送信装置が、携帯電話を兼ねるようにすることにより、目的に適合した、使用勝手のよい装置とすることができる。
【発明を実施するための最良の形態】
【００１１】
以下、本発明の携帯画像撮影送信装置の実施の形態を、図面に基づいて説明する。
【実施例１】
【００１２】
図１〜図２に、本発明の携帯画像撮影送信装置の一実施例を示す。
この携帯画像撮影送信装置は、図２に示すように、携帯画像撮影送信装置が携帯電話を兼ねるようにしたもので、基本的な仕様は、現在汎用されているカメラ付携帯電話と同様である。
【００１３】
具体的には、携帯画像撮影送信装置は、図１のフローチャートに示すように、画像データを取得する撮影手段１と、取得された画像データを記憶する画像データ記憶手段２と、画像データの送信を行う送信手段３と、画像データの送信先を予め登録しておく送信先登録手段４とを備え、撮影手段１によって画像データを取得したとき、自動的に、送信手段３によって送信先登録手段４に予め登録されている送信先５に画像データを送信するように構成されている。
【００１４】
この場合において、撮影する画像データは、静止画のほか、動画も対象とすることができる。
また、画像データに、必要に応じて、音声（音）のデータを含めることもできる。
【００１５】
また、送信先登録手段には、１又は２以上の複数の送信先を登録することができる。
登録する送信先は、自宅、親族、友人のほか、警察等の公的機関、契約したセキュリティ会社等、任意の送信先を選択することができる。
これにより、携帯画像撮影送信装置の用途に応じて、画像データの迅速な活用を図ることができる。
【００１６】
また、撮影手段には、図２に示すように、通常の撮影を行う場合に使用する操作部（図示省略）とは別に、撮影手段１及び送信手段３を自動的に起動し、送信先５に画像データを送信する専用操作部１１を備えるようにすることができる。
これにより、携帯画像撮影送信装置の使用勝手をよくし、誤操作を少なくすることができる。
専用操作部１１は、図２に示す実施例では、１個の押釦で構成したが、誤操作をより少なくするために同時に押圧操作することにより上記各手段が起動する２個の押釦で構成することもできる。
また、専用操作部１１は、押圧操作するもののほか、任意の操作機構を採用することができ、例えば、付属の紐を引き操作するようにしたり、ピンを引き抜き操作するようにしたり、音声認識手段により特定の音声を認識するようにしたり、指紋認識手段により特定の指紋を認識するようにすることにより、上記各手段が起動するように構成することもできる。
なお、このような専用操作部１１を備えない場合には、携帯画像撮影送信装置の設定を切り替えることにより、１個の操作部で通常の撮影と上記自動送信を含む撮影とを切り替えることができるようにする。
【００１７】
この携帯画像撮影送信装置は、撮影手段１によって画像データを取得したとき、自動的に、送信手段３によって送信先登録手段４に予め登録されている送信先５に画像データを送信するようにしたことにより、画像データの送信を手数と時間を要することなく行うことができ、これにより、夜間や混雑した人ごみの中でも送信操作を困難なく行えるだけでなく、子供や老人にも送信操作を困難を伴うことなく行うことができる。
また、撮影した画像データは、予め登録した送信先に送信されるので、送信先で画像データを記憶するようにすることで、携帯画像撮影送信装置側の画像データ記憶手段２の容量を軽減又は省略することができる。
そして、この携帯画像撮影送信装置は、撮影手段１によって画像データを取得するだけで自動的に送信先登録手段４に予め登録されている送信先５に画像データを送信することができるので、防犯機器として利用することにより、犯人が携帯画像撮影送信装置を持ち去ってしまった場合でも、送信された画像データが証拠として残るため、犯罪の早期解決、ひいては、犯罪そのものの抑止にも有効に機能する。
【００１８】
ところで、本実施例のものは、携帯画像撮影送信装置が携帯電話を兼ねるようにしたものであるが、このほか、携帯画像撮影送信装置が、カメラ又はビデオカメラを兼ねるようにしたり、専用の携帯用防犯機器とすることができる。
これにより、携帯画像撮影送信装置を、目的に適合した、使用勝手のよい装置とすることができる。
【００１９】
以上、本発明の携帯画像撮影送信装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明の携帯画像撮影送信装置は、画像データの送信を簡易に行うことができることから、携帯情報端末の用途に好適に用いることができるほか、例えば、防犯機器等の用途にも用いることができる。
【図面の簡単な説明】
【００２１】
【図１】本発明の携帯画像撮影送信装置の動作のフローチャートである。
【図２】本発明の携帯画像撮影送信装置の一実施例を示す正面図である。
【符号の説明】
【００２２】
１    撮影手段
１１  専用操作部
２    画像データ記憶手段
３    送信手段
４    送信先登録手段
５    送信先